(57)【要約】【課題】着信した携帯電話機を片手で持った状態から瞬時にハンズフリーの状態にすることができる合成樹脂素材で成型される携帯電話機用保持具の提供を図る。【解決手段】携帯電話機をハンズフリーの状態で通話可能とする合成樹脂素材で成型される携帯電話機用保持具であって、該携帯電話機用保持具は、使用者の頭部に装着される長さ調整機構を備えるヘッドホンアームと、該ヘッドホンアームの両端に回動自在に連結される耳掛け蔓と、該一方側面に回動自在に連結される馬蹄形保持体と、で構成し、該馬蹄形受け台の馬蹄形形状とガイド挟持片の略Ｕ字形状とで形成される開口部が、携帯電話機用保持具の下方向に向けて形成されると共に、馬蹄形保持体が、携帯電話機用保持具の身体に装着される対向面側に形成される手段を採る。【選択図】図１
2011151868.tif 000002
【特許請求の範囲】
【請求項１】
携帯電話機をハンズフリーの状態で通話可能とする合成樹脂素材で成型される携帯電話機用保持具であって、
前記携帯電話機用保持具は、
使用者の頭部に装着される長さ調整機構を備えるヘッドホンアームと、
該ヘッドホンアームの両端に回動自在に連結される耳掛け蔓と、
該一方側面に回動自在に連結される馬蹄形保持体と、で構成され、
前記馬蹄形保持体は、
前記ヘッドホンアームに回動自在に連結される馬蹄形受け台と、
略Ｕ字形状を二分割して形成されるガイド挟持片と、
を巾寸法調整機構ならびに厚み調整機構を介して連結して成り、
前記ガイド挟持片は、
嵌め込み装着を誘導するガイド斜面部と、
脱落防止を図るオーバーハング部と、
携帯電話機を突き当てて保持する収納段差部と、
を開口部を閉じる方向に付勢させて成り、
前記馬蹄形受け台の馬蹄形形状と、前記ガイド挟持片の略Ｕ字形状と、で形成される開口部が、前記携帯電話機用保持具の下方向に向けて形成されると共に、
前記馬蹄形保持体が、前記携帯電話機用保持具の身体に装着される対向面側に形成されることを特徴とする携帯電話機用保持具。
【発明の詳細な説明】
【技術分野】
【０００１】
本発明は、着信した携帯電話機を片手で持った状態から瞬時にハンズフリーの状態にすることができる合成樹脂素材で成型される携帯電話機用保持具に関する。
【背景技術】
【０００２】
近年の携帯電話機の普及率は目覚しいものがあり、それに伴うユーザーの通話環境は、あらゆる時間帯の生活環境下で日常的に発生してきている。そのような予測困難な通話環境の中で、特に車両の運転や、両手を使った業務中の携帯電話機の着信に対応するため、ハンズフリー通話を可能にする携帯電話機用のハンズフリー装置が提供されている。
【０００３】
例えば、イヤホンマイクを備えたハンズフリー装置が提供されている。しかしながら該イヤホンマイクを備えたハンズフリー装置は、イヤホンマイクを携帯電話機と接続するコードを必要とするものであり、さらにイヤホンとマイクを身体の一部に装着しなければならないことから、その装着を困難なものとしたり、コードが身体の一部に纏わり付いたり、さらに身体の動きが制限される問題があるものだった。
【０００４】
また、Ｂluetooth（登録商標）機能搭載のハンズフリー装置が提供されている。しかしながら該Ｂluetooth（登録商標）機能搭載のハンズフリー装置は、送信する携帯電話機においてもＢluetooth（登録商標）機能が搭載されていなければならず、使用者においては高額な購入コストの負担を強いられるもので、さらに着信した携帯電話機を片手で持った状態から両手が自由に使えるハンズフリーの状態にするには、着信機と携帯電話機を常に通信状態にしておくか、携帯電話機に着信した時点で着信機の手元スイッチをＯＮにしなければならず、またさらに使用する人の身体の一部に着信機の装着を余儀なくされることから、長時間装着するに当たってのストレスを感じる問題があるものだった。
【０００５】
一方、帽子、ヘアバンド、メガネ、耳掛け用具等に携帯電話機用保持具を接続することができるハンズフリー装置が提案されている。しかしながら、これらの提案は、比較的大きい形状と重量を伴う携帯電話機を帽子、ヘアバンド、メガネ、耳掛け用具等に装着する場合、専用の取付具の装着を必要とする上、保持性ならびに安定性に欠け、さらに通話する上で携帯電話機のマイク位置と使用者の口元が離れ易い構造的な理由によって通話中の音声が大きくなりがちになることから、通話内容が外部に漏れたり、大声によるマナー違反が問われる問題があるものだった。
【０００６】
また、ヘッドホンアームに携帯電話機用保持具を備えたハンズフリー装置が提案されている。例えば「送受話器保持具」（特許文献１）や、「無線型電話機用ハンズフリー装置」（特許文献２）が提案されている。しかしながらこれらの提案は、携帯電話機を保持する保持具が内側（使用する人の方向）に向いているため、一旦使用者の頭部からヘッドホンアームを外して携帯電話機を装着するか、ヘッドホンアームに携帯電話を装着してから使用者の頭部に装着するかの何れかの方法で装着しなければならず、これらの提案の何れも着信した携帯電話機を片手で持った状態で瞬時に装着することができないものであり、上述のような手間隙と煩わしさを伴うものでもあった。また、保持具の下方からスライドさせて挿入する場合は、着信した携帯電話機を一旦視界から外し、手探りの状態で携帯電話機を保持部の開口口に挿入しなければならず、挿入動作の機敏性と正確性が求められる上、手間隙と煩わしさが伴う問題点があるものであった。
【０００７】
本出願人は、以上のような従来の携帯電話機用保持具の現状を鑑み、携帯電話機を保持する馬蹄形保持体を身体に装着される対向面側に設けることによって、着信した携帯電話機を片手で持った状態から瞬時にハンズフリーの状態にすることができることに着目すると同時に、ヘッドホンアームの頂点部と両側の耳掛け蔓の三箇所で支持する手段を採ることで装着時の安定度を図ると共に、日常的に使用される状況下で外観や装着状態に違和感を及ぼすことのない携帯電話機用の保持具を開発し、本発明における「携帯電話機用保持具」の提案に至るものである。
【先行技術文献】
【特許文献】
【０００８】
【特許文献１】特開２００２-３７４３３６号公報
【特許文献２】特開平１０-１７８８７４号公報
【発明の概要】
【発明が解決しようとする課題】
【０００９】
本発明は、上記問題点に鑑み、着信した携帯電話機を片手で持った状態から瞬時にハンズフリーの状態にすることができる合成樹脂素材で成型される携帯電話機用保持具の提供を図る。
【課題を解決するための手段】
【００１０】
本発明の携帯電話機用保持具は、携帯電話機をハンズフリーの状態で通話可能とする合成樹脂素材で成型される携帯電話機用保持具であって、前記携帯電話機用保持具は、使用者の頭部に装着される長さ調整機構を備えるヘッドホンアームと、該ヘッドホンアームの両端に回動自在に連結される耳掛け蔓と、該一方側面に回動自在に連結される馬蹄形保持体と、で構成され、前記馬蹄形保持体は、前記ヘッドホンアームに回動自在に連結する馬蹄形受け台と、略Ｕ字形状を二分割して形成されるガイド挟持片と、を巾寸法調整機構ならびに厚み調整機構を介して連結して成り、前記ガイド挟持片は、嵌め込み装着を誘導するガイド斜面部と、脱落防止を図るオーバーハング部と、携帯電話機を突き当てて保持する収納段差部と、を開口部を閉じる方向に付勢させて成り、前記馬蹄形受け台の馬蹄形形状と、前記ガイド挟持片の略Ｕ字形状と、で形成される開口部が、前記携帯電話機用保持具の下方向に向けて形成されると共に、前記馬蹄形保持体が、前記携帯電話機用保持具の身体に装着される対向面側に形成される手段を採る。
【発明の効果】
【００１１】
本発明の携帯電話機用保持具によれば、馬蹄形保持体を携帯電話機用保持具の身体に装着される対向面側に形成することによって、着信した携帯電話機を片手で持った状態から瞬時に携帯電話機を馬蹄形保持体に嵌め込んでハンズフリーの状態にすることができる優れた効果を奏する。
【００１２】
また本発明の携帯電話機用保持具によれば、馬蹄形受け台の馬蹄形形状と、ガイド挟持片の略Ｕ字形状と、で形成される開口部が、携帯電話機用保持具の下方向に向けて形成されていることによって、携帯電話機用保持具に装着される携帯電話を通話が終了した時点で瞬時に引き抜くことができる優れた効果を奏する。
【００１３】
また本発明の携帯電話機用保持具によれば、携帯電話機用保持具がヘッドホンアームの頂点部と両側の耳掛け蔓の三箇所で支持することによって、携帯電話機用保持具に装着される携帯電話機が常に安定した状態で保持することができる優れた効果を奏する。
【００１４】
また本発明の携帯電話機用保持具によれば、使用者の頭部に装着されるため、使用者における多様な使用状態においても使用する人の動きや装着している状態を制限することなく容易に装着できる優れた効果を奏する。
【００１５】
また本発明の携帯電話機用保持具によれば、材質を合成樹脂素材で形成されることで大量生産が可能となるため、デザイン性や色彩に富んだ製造を可能とし、軽量且つ廉価な携帯電話機用保持具が提供できる優れた効果を奏する。
【図面の簡単な説明】
【００１６】
【図１】本発明の携帯電話機用保持具の全体を示す説明図である。（実施例１）
【図２】本発明の携帯電話機用保持具の狭持状態を示す説明図ある。
【図３】本発明の携帯電話機用保持具の使用状態の手順を示す説明図ある。
【図４】本発明の携帯電話機用保持具の別の使用状態を示す説明図ある。
【発明を実施するための形態】
【００１７】
本発明の携帯電話機用保持具は、携帯電話機をハンズフリーの状態で通話可能とする合成樹脂素材で成型される携帯電話機用保持具であって、該携帯電話機用保持具は、使用者の頭部に装着される長さ調整機構を備えるヘッドホンアームと、該ヘッドホンアームの両端に着脱自在に連結される耳掛け蔓と、該一方側面に回動自在に連結される馬蹄形保持体と、で構成し、馬蹄形受け台の馬蹄形形状と、ガイド挟持片の略Ｕ字形状と、で形成される開口部が、携帯電話機用保持具の下方向に向けて形成されると共に、馬蹄形保持体が、携帯電話機用保持具の身体に装着される対向面側に形成した手段を採ったことを最大の特徴とするもので、以下、実施例を図面を元に説明する。
【００１８】
また、本発明の携帯電話機用保持具の形状は、下記に述べる実施例に特に限定されるものでなく、本発明の技術的思想に逸脱しない範囲で任意に変更することができる。
【実施例１】
【００１９】
図１は、本発明の携帯電話機用保持具の全体を示す説明図ある。
図（a）は全体斜視図を示し、図（ｂ）は拡散分解図を示す。
本発明の携帯電話機保持具１は、携帯電話機Ｋをハンズフリーの状態で通話を可能とする合成樹脂素材で成型される携帯電話機用保持具１であって、該携帯電話機用保持具１は、使用者の頭部に装着されるヘッドホンアーム１０と、該ヘッドホンアーム１０の両端に自在継手によって回動自在に連結される耳掛け蔓２０と、該一方側面に自在継手によって回動自在に連結される馬蹄形保持体３０とで構成される。また、一部の材質を除いてポリプロピレンなどの合成樹脂素材で形成することで大量生産が可能となるため、デザイン性や色彩に富んだ製造を可能とし、軽量且つ廉価で機能的な保持具とすることができるものである。
【００２０】
ヘッドホンアーム１０は、使用者の頭部に装着される半円弧状に湾曲したアーム形状を形成し、頂点部には長さ調整機構１１のスライド鞘が形成され、両側端には耳掛け蔓２０が自在継手によって回動自在に連結されて形成される。さらに該一方側面には、自在継手によって回動自在に連結される馬蹄形保持体３０が設けられもので、さらにヘッドホンアーム１０の頂点部と両側の耳掛け蔓２０の三箇所で携帯電話機保持具１を支持することによって携帯電話機Ｋを常に安定した状態で保持するものである。
【００２１】
耳掛け蔓２０は、メガネの蔓の形状に類して形成されているもので、ヘッドホンアーム１０の両側端に自在継手によって回動自在に連結されて形成される。自在継手によって回動自在に連結されることによって、使用者の使い勝手に合わせて左右何れかの方向に向きを変えることができるものである。
【００２２】
馬蹄形保持体３０は、ヘッドホンアーム１０の一方側面に自在継手によって回動自在に連結され、馬蹄形受け台３１と、略Ｕ字形状を二分割して形成されるガイド挟持片３２とを巾寸法調整機構３４ならびに厚み調整機構３５を介して連結して形成される。取り付け位置は、略Ｕ字形状で形成される開口部３３を外耳部位Ｙの下方向に向けると共に、携帯電話機Ｋを直接装着することができる身体に装着される対向面側に形成されるものである。また、携帯電話機Ｋを一時期的に通話を中断して周りの人と会話する場合は、斜め上方に跳ね上げる、横方向に向きを変える、上方に回動させるなどして外耳部位Ｙから携帯電話機Ｋを遠ざけることができるものである。
【００２３】
馬蹄形受け台３１は、馬蹄形保持体３０内に設けられて全体形状を馬蹄形に形成し、略Ｕ字形状を二分割して形成されるガイド挟持片３２と、巾寸法調整機構３４ならびに厚み調整機構３５を介して連結され、ガイド挟持片３２との連結によって形成される収納段差部３８に携帯電話機Ｋが突き当てられて保持されるものである。また、全体形状を馬蹄形に形成して中央部が繰り抜かれていることによって、携帯電話機Ｋのイヤホンとマイク機能を利用してハンズフリー通話を可能とするものである。
【００２４】
ガイド挟持片３２は、略Ｕ字形状を二分割して形成され、馬蹄形受け台３１に巾寸法調整機構３４ならびに厚み調整機構３５を介して連結される。携帯電話機Ｋの嵌め込み装着を誘導するガイド斜面部３６と、脱落防止を図るオーバーハング部３７と、携帯電話機Ｋを突き当てて保持する収納段差部３８とで形成されるものである。
【００２５】
開口部３３は、馬蹄形受け台３１の馬蹄形形状と、とガイド挟持片３２の略Ｕ字形状で形成される開口口であって、該開口口が閉じる方向に付勢させることによって、携帯電話機Ｋの確実な挟持効果ならびに保持効果が得られると共に、開口部３３が携帯電話機用保持具１の下方向に向けて形成されていることによって、携帯電話機用保持具1に装着されている携帯電話Ｋを通話が終了した時点で瞬時に引き抜くことができるものである。
【００２６】
図２は、本発明の携帯電話機用保持具の狭持状態を示す説明図ある。
図（a）は馬蹄形保持体３０の平面図を示し、図（ｂ）は断面図を示す。
図を元に説明すると、ヘッドホンアーム１０の一方側面に自在継手によって回動自在に馬蹄形受け台３１が連結され、該馬蹄形受け台３１に巾寸法調整機構３４ならびに厚み調整機構３５を介してガイド挟持片３２が連結されるものである。
【００２７】
寸法調整機構３４は、締め付けねじと取り付け長穴とねじ孔の螺合で馬蹄形受け台３１とガイド挟持片３２を連結して略Ｕ字形状を二分割して形成されるガイド挟持片３２の寸法調整を行うもので、携帯電話機Ｋの機種によって異なる幅寸法を調節するものである。また、その他の幅寸法を調節する手段としては、ガイド挟持片３２の側壁面３２aにバネ板材や軟質性ならびに発泡性の合成樹脂素材を付設して調整することもできる。
【００２８】
厚み調整機構３５は、馬蹄形受け台３１とガイド挟持片３２の間をセットビスで調節するもので、携帯電話機Ｋの機種によって異なる厚み寸法を調節するものである。また、その他の厚み調整手段としては、馬蹄形受け台３１とガイド挟持片３２の間にスペーサーを挟み込んで厚み寸法を調節することもできる。
【００２９】
ガイド斜面部３６は、外側から内側にかけてテーパ状の斜面を形成して携帯電話機Ｋの外側からの嵌め込み装着を誘導する目的でオーバーハング部３７と収納段差部３８とを有して形成されるものである。材質的には合成樹脂素材や天然樹脂素材を使用することによって衝突による衝撃やキズを防ぐことができるものである。
【００３０】
オーバーハング部３７は、ガイド斜面部３６のテーパ状の斜面の終端に突き出た状態で形成されるもので、携帯電話機Ｋの上端角部に当接して脱落防止を図る目的でガイド挟持片３２に設けられるものである。狭持構造は、機械的な弾性変化構造より合成樹脂素材による素材的な弾性変化構造が望ましい。
【００３１】
収納段差部３８は、馬蹄形受け台３１とガイド挟持片３２が連結されることによって形成されるもので、馬蹄形受け台３１の上面とオーバーハング部３７で携帯電話機Ｋの上面と下面の角部を挟持することによって、携帯電話機Ｋの全体を保持するものである。
【００３２】
図（ｃ）は、携帯電話機の装着状態を示す説明図である。
図に示すように携帯電話機Ｋが装着されてガイド挟持片３２の側面壁３２ａと携帯電話機Ｋの間に隙間３９が形成されることで、携帯電話機Ｋの側面に設けられている操作ボタン類に接触することなく携帯電話機Ｋが保持されるものである。
【００３３】
図３は、本発明の携帯電話機用保持具の使用状態の手順を示す説明図ある。
（1）使用者の頭部に携帯電話機用保持具１を装着している状態で、携帯電話機Ｋが着信する。
（2）携帯電話機Ｋの着信ボタンを押した後、携帯電話機Ｋを片手で掴んで携帯電話機用保持具１の馬蹄形保持体３０に直接携帯電話機Ｋを宛がう。
（3）携帯電話機Ｋを聞き取りやすい位置ならびに話しやすい位置に微調整する。
（4）両手が自由なハンズフリー状態にして通話する。（必要であれば両手を使って運転や作業を行う）
（5）通話が終了したら、携帯電話機Ｋを携帯電話機用保持具１の下方からスライドさせて引き抜く。（身体に装着される対向面側に取り出すこともできる）
（6）携帯電話機Ｋの終了ボタンを押して終了する。
【００３４】
以上のように、本発明の携帯電話機用保持具１が使用される状況は、着信した携帯電話機Ｋを片手で持った状態から瞬時にハンズフリーの状態にすることができる同時にヘッドホンアーム１０の頂点部と両側の耳掛け蔓２０の三箇所で携帯電話機保持具１が安定的に保持されることによって、車両の運転中のハンズフリー装置としてや、両手作業を必要とする職種のハンズフリー装置として有効に使われるものである。
【００３５】
図４は、本発明の携帯電話機用保持具の別の使用状態を示す説明図ある。
図（a）は、携帯電話機用保持具１をカチューシャ４０として使用する状態を示すもので、着信時以外の待ち受け状態では、ヘッドホンアーム１０を前方に傾け、髪の乱れを防ぐ装身具として利用できるものである。
【００３６】
図（ｂ）は、携帯電話機用保持具１を防寒用マフ４１として使用する状態を示すもので、着信時以外の待ち受け状態では、装飾デコメを施してヘアーマフとしてや、防寒用マフ４１として利用できるものである。
【００３７】
図（ｃ）は、通常時の使用状態を示すもので、携帯電話機用保持具１を髪の毛の色と同色にしたり、頭髪で携帯電話機用保持具１全体を覆うことにより外観上目立たなく装着できると共に、車の運転時や荷物の積み下ろし時におけるハンズフリー通話を可能とするものである。
【００３８】
図（ｄ）は、スポーツキャップを着用した時の使用状態を示すもので、ヘッドホンアーム１０の頂点部と両側の耳掛け蔓２０の三箇所で支持することによって、携帯電話機用保持具１を常に頭部に密着した状態で保持することができるため、スポーツなどのプレー中においても頭部から取り外すことなく使用することができる。
【００３９】
図（e）は、ヘルメットを着用した時の使用状態を示すもので、携帯電話機用保持具自体１がコンパクト性に優れているため、重労働や重装備の作業においても邪魔になることなく使用することができる。
【産業上の利用可能性】
【００４０】
本発明の携帯電話機用保持具は、着信した携帯電話機を片手で持った状態から瞬時に両手が自由に使えるハンズフリーの状態にすることができることから、ビジネス、スポーツ、車の運転、趣味、ファッションなどの分野で巾広く利用することができるもので、本発明における携帯電話機用保持具の産業上の利用可能性は大とするものと解する。
【符号の説明】
【００４１】
１    携帯電話機用保持具
１０  ヘッドホンアーム
１１  長さ調整機構
２０  耳掛け蔓
３０  馬蹄形保持体
３１  馬蹄形受け台
３２  ガイド狭持片
３２ａ側面壁
３３  開口部
３４  巾寸法調整機構
３５  厚み調整機構
３６  ガイド斜面部
３７  オーバーハング部
３８  収納段差部
３９  隙間
４０  カチューシャ
４１  防寒用マフ
Ｋ    携帯電話機
Ｙ    外耳部位
【図１】
2011151868.tif 000003
【図２】
2011151868.tif 000004
【図３】
2011151868.tif 000005
【図４】
2011151868.tif 000006